(57)【要約】【課題】  石器類等の形状が一定でなく、任意の角度で撮影台上に置くことが困難な出土品であっても、少ない作業でその６面を容易にカメラの光学系中心に対して正対させて、短い作業時間で撮影できる撮影装置の提供。【解決手段】  被撮影物を保持する撮影台３と、撮影台３に保持された被撮影物を撮影するデジタルカメラ７と、カメラ７によって撮影した画像データを処理するパソコンとを備え、撮影台３には、被撮影物を保持する被撮影物保持手段４０と、被撮影物保持手段４０を前記カメラの光軸と直交する縦軸を中心にして旋回可能な水平旋回手段１１と、被撮影物保持手段４０を前記カメラの光軸と直交する横軸を中心にして旋回可能にした垂直旋回手段２０とを備える。 【選択図】  図１
2005114803.tif 000002
【特許請求の範囲】
【請求項１】
被撮影物を保持する撮影台と、該撮影台に保持された被撮影物を撮影するデジタルカメラと、該カメラによって撮影した画像データを処理するパソコンとを備えてなる考古学出土品実測図作成用撮影装置において、
撮影台には、被撮影物を保持する被撮影物保持手段と、該被撮影物保持手段を前記カメラの光軸と直交する縦軸を中心にして旋回可能な水平旋回手段と、前記被撮影物保持手段を前記カメラの光軸と直交する横軸を中心にして旋回可能にした垂直旋回手段とを備えたことを特徴としてなる考古学出土品実測図作成用撮影装置。
【請求項２】
前記水平旋回手段及び垂直旋回撮影台には、旋回角度９０度毎に旋回を規制する旋回規制手段を備えてなる請求項１に記載の考古学出土品実測図作成用撮影装置。
【請求項３】
被撮影物保持手段は、少なくとも３本の弾性保持爪を備え、該弾性保持爪の先端により被撮影物を任意の向きに保持するようにしてなる請求項１又は２に記載の考古学出土品実測図作成用撮影装置。
【請求項４】
撮影台上には被撮影物の高さを計測するハイトケージを備えてなる請求項１、２又は３に記載の考古学出土品実測図作成用撮影装置。
【請求項５】
撮影台は被撮影物載置位置に窓穴を貫通開口させ、該窓穴にこれを閉鎖する被撮影物支持盤を取り外し可能に嵌め込んでなる請求項１〜３又は４に記載の考古学出土品実測図作成用撮影装置。
【請求項６】
前記カメラ及び撮影台をそれぞれ別々のカメラ用架台及び撮影台用架台に支持させ、該両架台を直線状のレール上に滑動自在に載置させてなる請求項１〜４又は５に記載の考古学出土品実測図作成用撮影装置。
【発明の詳細な説明】
【技術分野】
【０００１】
本発明は、発掘調査によって出土した石器類等の考古学出土品の実測図を作成する際に使用する写真撮影のための撮影装置に関する。
【背景技術】
【０００２】
一般に、古代遺跡等の発掘調査によって出土した石器類等の考古学出土品は、考古学上正確な記録を残す必要があり、そのため出土品を実測し、図化することが発掘調査上重要な作業となる。
【０００３】
従来この図化の作業は、定規やノギス、デバイダ等を使用し、作業者の手作業によって忠実に描き出していたが、視覚により観察し、然る後これを手作業で描き出すという全くの手作業のみに頼るとすると、正確な描き出しには特殊な能力が必要となり、また作業効率が低くならざるを得ないという問題があった。
【０００４】
このような問題を解決するために、近年においては、デジタルカメラによって出土品を撮影し、そのデータをコンピュータによって画像処理することによって投影図法に基づいた６面の画像を作り、これをプリントして実物大の原画像を作り、これに描画用紙を重ねて手作業により描き出していく方法が開発された。
【発明の開示】
【発明が解決しようとする課題】
【０００５】
上述した従来の技術では、画像データを取り込むための写真撮影に際し、出土品の投影図法に従った、正面図、背面図、左側面図、右側面図、平面図及び底面図からなる６面を撮影する際に、撮影しようとする各面毎にカメラの光学系中心軸に対して正確に向ける必要があるが、出土品は形状が一定でないため、各面毎にカメラに正対するよう位置決めする作業に手間取り、撮影に長時間を要するという問題があった。
【０００６】
本発明はこのような従来の問題に鑑み、石器類等の形状が一定でなく、任意の角度で撮影台上に置くことが困難な出土品であっても、少ない作業でその６面を容易にカメラの光学系中心に対して正対させて、短い作業時間で撮影できる考古学出土品実測図作成用撮影装置の提供を目的としてなされたものである。
【課題を解決するための手段】
【０００７】
上述の如き従来の問題を解決し、所期の目的を達成するための請求項１に記載の発明の特徴は、被撮影物を保持する撮影台と、該撮影台に保持された被撮影物を撮影するデジタルカメラと、該カメラによって撮影した画像データを処理するパソコンとを備えてなる考古学出土品実測図作成用撮影装置において、撮影台には、被撮影物を保持する被撮影物保持手段と、該被撮影物保持手段を前記カメラの光軸と直交する縦軸を中心にして旋回可能な水平旋回手段と、前記被撮影物保持手段を前記カメラの光軸と直交する横軸を中心にして旋回可能にした垂直旋回手段とを備えたことにある。
【０００８】
請求項２に記載の発明の特徴は、前記請求項1に記載の構成に加え、前記水平旋回手段及び垂直旋回撮影台には、旋回角度９０度毎に旋回を規制する旋回規制手段を備えたことにある。
【０００９】
請求項３に記載の発明の特徴は、前記請求項1又は２に記載の構成に加え、被撮影物保持手段は、少なくとも３本の弾性保持爪を備え、該弾性保持爪の先端により被撮影物を任意の向きに保持するようにしたことにある。
【００１０】
請求項４に記載の発明の特徴は、前記請求項1，２又は３に記載の構成に加え、撮影台上には被撮影物の高さを計測するハイトケージを備えたことにある。
【００１１】
請求項５に記載の発明の特徴は、前記請求項1〜３又は４に記載の構成に加え、撮影台は被撮影物載置位置に窓穴を貫通開口させ、該窓穴にこれを閉鎖する被撮影物支持盤を取り外し可能に嵌め込んだことにある。
【００１２】
請求項６に記載の発明の特徴は、前記請求項1〜４又は５に記載の構成に加え、前記カメラ及び撮影台をそれぞれ別々のカメラ用架台及び撮影台用架台に支持させ、該両架台を直線状のレール上に滑動自在に載置させたことにある。
【発明の効果】
【００１３】
本発明においては、撮影台に、被撮影物を保持する被撮影物保持手段と、該被撮影物保持手段を前記カメラの光軸と直交する縦軸を中心にして旋回可能な水平旋回手段と、前記被撮影物保持手段を前記カメラの光軸と直交する横軸を中心にして旋回可能にした垂直旋回手段とを備えたことにより、被撮影物を所定の向きで保持するための作業は１回のみでよく、旋回手段によって旋回させることにより、必要な面が撮影される向きに姿勢を正確に変更させることができ、作業性が著しく向上し、撮影時間が短縮される。
【００１４】
また、水平旋回手段及び垂直旋回撮影台には、旋回角度９０度毎に旋回を規制する旋回規制手段を備えたことにより、被撮影物の向きの調整が自動的になされることなり、撮影の向き毎の角度微調整が不要となる。
【００１５】
また、被撮影物保持手段は、少なくとも３本の弾性保持爪を備え、該弾性保持爪の先端により被撮影物を任意の向きに保持するようにしたことにより、複雑な形状をした被撮影物でも容易に必要な方向に向けた保持が可能となる。
【００１６】
更に、撮影台上に被撮影物の高さを計測するハイトケージを備えたことにより、コンピュータによる画像処理に際しての大きさデータ入力のための計測が容易となる。
【００１７】
更に、撮影台は被撮影物載置位置に窓穴を貫通開口させ、該窓穴にこれを閉鎖する被撮影物支持盤を取り外し可能に嵌め込むことにより、この被撮影物支持盤を外すことにより底面画像の撮影が一度の被撮影物保持状態で可能となる。
【００１８】
更にまた、カメラ及び撮影台をそれぞれ別々のカメラ用架台及び撮影台用架台に支持させ、該両架台を直線状のレール上に滑動自在に載置させることにより、一度行ったカメラと撮影台との高さ及び向きを殆ど調整することなく被撮影物とカメラの間隔を調整できる。
【発明を実施するための最良の形態】
【００１９】
次に本発明の実施の形態を図面に示した実施例に基づいて説明する。
【００２０】
図１は本発明装置の全体の概略を示している。この装置は、略水平配置のレール１と、該レール１上に移動可能に載せたカメラ台２、及び同じくレール１上に載せた撮影台３とを有している。これらの各台２，３は底部に両レール１上を転動する車輪４，４……が取り付けられていて、該レール上を移動できるようになっているとともに、ストッパー装置（図示せず）によりレール上の任意の位置で移動不能に停止させることができるようになっている。
【００２１】
カメラ台２には支柱８が立て向きに立設されており、この支柱８にカメラ運台５が軸方向に移動可能に支持されており、この運台５はハンドル６を回転させることによって、支柱８に沿って上下に移動されるようになっているとともにストッパー（図示せず）によって任意の高さ位置で移動不能に停止させることができるようになっている。運台５にはデジタルカメラ７が止めネジによって固定されるようになっており、この止めネジを緩めることによりカメラ本体の水平方向の向きが調節できるようになっている。
【００２２】
撮影台３は、横材及び立て材を立体枠状に組み立てて形成した基台１０の下面に前述した車輪４が取り付けられており、この基台１０上に、水平旋回手段１１、垂直旋回手段２０、テーブル３０及び被撮影物保持手段４０が備えられている。
【００２３】
水平旋回手段１１は、基台１０の上面の略中央に、略垂直に立設した縦軸１２を中心にして回転自在に水平回転台１３が備えられている。この水平回転台１３と基台１０との間には、水平回転台１３を回転角度９０度毎に停止させる旋回規制手段が備えられている。この旋回規制手段は、円盤状をなし、外周に９０度毎に凹部１４が設けられ、水平回転台１３の下面に前記縦軸１２を中心にして固定された節度用円盤１５と、基台１０側に設置され、節度用円盤１５の外周側に向けて付勢された節度用摺接子１６とから構成され、水平回転台１３を、縦軸１２を中心にして旋回させたときに節度用摺接子１６が節度用円盤１５の円周面に摺接し、凹部１４内に落ち込むことによりその位置で回転動作に一定の抵抗力が与えられて旋回が規制されるようになっている。
【００２４】
垂直回転手段２０は、前記水平回転台１３の両側部上面に立設した一対の支持片２１，２１に対し、テーブル３０を、水平軸２２を中心にして垂直方向に回転自在に支持しているものであり、テーブル３０は、上面が水平に向けられた水平配置と、この状態から９０度旋回した垂直垂直との位置で停止できるようになっている。
【００２５】
テーブル３０は、中央部分に窓穴３１が形成されている。この窓穴３１は被撮影物の最大寸法より充分に大きな直径の円形に形成されており、こり窓穴３１に被撮影物支持盤３２がテーブル背面側から着脱自在に嵌合されている。この被撮影物支持盤３２は、装着状態のとき表面がテーブル上面と略同一平面上に位置されるように構成されている。
【００２６】
テーブル３０上には、前記窓穴３１の外周側上面に被撮影物を所望の角度で保持できる被撮影物保持手段４０が設置されている。この保持手段４０は、テープル上に立設されるスタンド４１とこのスタンド４１に移動可能に支持される掴み装置４２とから構成されている。
【００２７】
掴み装置４２は、図７〜図９に示すように３本の弾性弾性保持爪４３ａ，４３ｂ，４３ｃを有しており、その先端で被撮影物Ａを宙に浮いた状態で保持できるようになっている。各弾性弾性保持爪４３ａ〜４３ｃは板ばねを切断して箸状に形成したものであり、２本の弾性弾性保持爪４３ａ，４３ｂが一方の回動駒４４ａに着脱可能に固定され、残り１本弾性弾性保持爪４３ｃが他方の回動駒４４ｂに着脱可能に固定されている。
【００２８】
回動駒４４ａ，４４ｂは、支持板４５に対し、一対の平行な支軸４６ａ，４６ｂを中心にしてそれぞれ回動可能に支持されており、その一端側が互いに接近する方向にコイルスプリング４７及びリンク機構４８によって付勢されている。また、一方の回動駒４４ａにストッパー片４９が枢着され、その先端側側面に形成した凹部４９ａを他方の回動駒４４ｂから突設したストッパーピン５０に嵌合させることにより、両回動駒４４ａ，４４ｂの先端側が互いに開いた状態維持されるようにしたストッパー機構が備えられている。
【００２９】
各弾性支持棒４２ａ，４３ｂ及び４３ｃは、それぞれ回動駒４４ａ，４４ｂと、これに対してネジ止めした押え板５１ａ，５１ｂとの間に挟持させて固定されており、それぞれの弾性支持棒の突出長さ及び突出角度が、押え板５１ａ，５１ｂ止めネジ５２を緩めることにより調整できるようになっている。
【００３０】
そして２本の弾性支持棒４３ａ，４３ｂの先端間に１本弾性支持棒４３ｃの先端が入り込む位置に調整し、被撮影物Ａを３つの弾性支持棒の先端部の３点で保持するようにしている。
【００３１】
スタンド４１はテーブル３０のネジ穴に螺合させることにより立設される一対の支柱５５，５５と、両支柱にそれぞれ高さ調節可能に支持させた留め具５６，５６と、この止めグ５６，５６間に掛け渡された横軸５７とから構成され、横軸５７に対して掴み装置４２を止め具５８によって移動可能に固定するようになっている。
【００３２】
テーブル３０上にはハイトケージ６０が着脱自在に固定できるようになっている。
【００３３】
このように構成される撮影装置を、例えば出土した石器の図化のための撮影に使用するに際しては、撮影に先立ち、所謂チャコ入れ作業を行う。即ち、石器の表面に現れている凹凸の稜線の内、資料として重要なもの、例えばその石器の製作時に石を破砕して出来た加工面の境界を構成しているものを選択し、これを見易いようにチャコにて色付けする作業を行う。換言すれば図化する際に実際に描画すべき稜線が鮮明に浮かび上がるように色付けする。
【００３４】
このようにチャコ入れした被撮影物Ａを撮影装置にセットする。このセットに先立ち撮影装置は、図１に示すようにテーブル３０を水平方向に向け、その窓穴３１に被撮影物支持盤３２を装着しておく。この状態で図１０に示すように被撮影物Ａを被撮影物支持盤３２の上面に下端を接した状態で立設されるように掴み装置４２の３本の弾性保持爪４３ａ〜４３ｃで保持させる。この時、正面、背面、左側面又は右側面の何れかとして撮影したい面をカメラ７側に向くようにして設置し、カメラ７とは反対側に任意の色彩の背景板６１を設置する。
【００３５】
一方、カメラ台２にカメラ７を設置し、高さ及び水平位置を調節してカメラの光学系中心線ａが水平、レール１と平行で、且つ被撮影物Ａの中間高さとなるようにセットする。然る後、カメラ台２及び撮影台３の何れか又は双方を、レール１を移動させることにより、カメラ７と被撮影物Ａとの間隔を調整し、然る後カメラ台２及び撮影台３をレール１に対して移動不能にロックする。この間隔は、使用するレンズや被撮影物の大きさに応じ、適切な撮影画像が得られる間隔とする。
【００３６】
この状態で、水平回転台１３を９０度ずつ回転させ、正面画像、背面画像、左右の側面画像を順次撮影し、そのデジタル画像データをコンピュータ（図示せず）に取り込む。また、ハイトゲージ６０により被撮影物Ａの高さを測定し、その高さデータをコンピュータに入力する。
【００３７】
このようにして四面の撮影を行った後、平面画像（上面）と底面画像（下面）の撮影を行う。平面の撮影は図１に示すように、水平回転台１３を、その両側部の支持片２１，２１がカメラの光学系中心線の左右両側に位置する向きに向け、この状態でテーブル３０をその水平軸２２を中心にし、表面がカメラ７側に向くように垂直位置まで回転させて停止させる。これによって被撮影物Ａは上面側がカメラ側に向けられる。この状態で上面即ち平面画像の撮影を行い、その画像データをコンピュータに取り込む。
【００３８】
また、底面画像の撮影は、図１２に示すようにテーブル３０の窓穴３１を閉鎖している被撮影物支持盤３２を、テーブル底面側から取り外す。この状態で水平回転台１３を１８０度旋回させることにより、被撮影物Ａの底面をカメラ７側に向ける。この状態で被撮影物Ａのカメラ７の反対側に背景板６１を置き、底面画像を撮影しその画像データをコンピュータに取り込む。
【００３９】
コンピュータでは予めインストールされている画像処理ソフトウェアーにより画像処理を行い、入力された被撮影物Ａの高さデータに基づいて、実物大の画像を作成し、その画像をプリンターにて出力し、チャコ入れされた被撮影物Ａの六面の写真画像を得る。
【００４０】
この六面の写真画像に描画用紙を重ね、チャコ入れされている稜線部分を筆記用具にてなぞり、正面図、背面図、左側面図、右側面図、平面図及び底面図からなる実測図を描き出す。
【図面の簡単な説明】
【００４１】
【図１】本発明に係る装置の概略構成を示す側面図である。
【図２】図１に示す装置のカメラ台の背面図である。
【図３】図１に示す装置の撮影台を示す正面図である。
【図４】図１に示す装置の水平旋回手段における旋回規制手段の平面図である。
【図５】図１に示す装置の撮影台のテーブル部分を示す縦断面図である。
【図６】同上の平面図である。
【図７】図１に示す装置の被撮影物保持手段の掴み装置部分の被撮影物保持状態を示す側面図である。
【図８】同上の底面図である。
【図９】同上の掴み装置の掴み爪が開いた状態を示す底面図である。
【図１０】図１に示す装置における正面撮影状態を示すテーブル部分の略図である。
【図１１】同平面撮影状態を示すテーブル部分の略図である。
【図１２】同底面撮影状態を示すテーブル部分の略図である。
【符号の説明】
【００４２】
Ａ  被撮影物
１  レール
２  カメラ台
３  撮影台
４  車輪
５  カメラ運台
６  ハンドル
７  デジタルカメラ
８  支柱
１０  基台
１１  水平旋回手段
１２  縦軸
１３  水平回転台
１４  凹部
１５  節度用円盤
１６  節度用摺接子
２０  垂直回転手段
２１  支持片
２２  水平軸
３０  テーブル
３１  窓穴
３２  被撮影物支持盤
４０  被撮影物保持手段
４１  スタンド
４２  掴み装置
４３ａ，４３ｂ，４３ｃ  弾性弾性保持爪
４４ａ，４４ｂ  回動駒
４５  支持板
４６ａ，４６ｂ  支軸
４７  コイルスプリング
４８  リンク機構
４９  ストッパー片
４９ａ  凹部
５０  ストッパーピン
５１ａ，５１ｂ  押え板
５５  支柱
５６  留め具
５７  横軸
５８  止め具
６０  ハイトケージ６０
６１  背景板
【図１】
2005114803.tif 000003
【図２】
2005114803.tif 000004
【図３】
2005114803.tif 000005
【図４】
2005114803.tif 000006
【図５】
2005114803.tif 000007
【図６】
2005114803.tif 000008
【図７】
2005114803.tif 000009
【図８】
2005114803.tif 000010
【図９】
2005114803.tif 000011
【図１０】
2005114803.tif 000012
【図１１】
2005114803.tif 000013
【図１２】
2005114803.tif 000014